(57)【要約】【課題】簡単に肌の手入れを行うことができる美容ローラーを提供する。【解決手段】美容ローラーは回転体２を備える。回転体２の長手方向に対して略直交する方向の回転体２の断面形状は略六角形状である。回転体２の長手方向の一端に位置する面には、回転体２の内部と外部を連通する液体投入口２Ａが形成されている。液体投入口２Ａが形成された面に対して略直交する面すなわち回転体２の側面に、内部と外部を連通する液体滲出口２Ｂが形成されている。回転体２の内部には液体収容空間２Ｅが形成されており、回転体２は内部に液体を収容可能である。シート状の親水性ポリウレタンスポンジフォーム３が回転体２の液体滲出口２Ｂを閉塞した状態で液体滲出口２Ｂに嵌合されている。回転体２の内部に投入された液体は、親水性ポリウレタンスポンジフォーム３に接触することができ、親水性ポリウレタンスポンジフォーム３から液体を滲み出させることができる。【選択図】図２
0003202873.tif 000002
【実用新案登録請求の範囲】
【請求項１】
長手方向を中心として回転可能であり、かつ、長手方向の一端に位置する面に内部と外部を連通する第１の開口部が形成されており、かつ、該第１の開口部が形成された面に対して略直交する面に内部と外部を連通する第２の開口部が形成されており、かつ、内部に液体を収容可能な回転体と、
該回転体の前記第２の開口部に嵌合されており、複数の微細孔が形成された多孔質部材とを備える
美容ローラー。
【請求項２】
前記回転体は導電性を有しており、
前記回転体と電気的に接続されており、かつ、同回転体に電気を供給可能な通電部を備える
請求項１に記載の美容ローラー。
【請求項３】
前記通電部は、パルス状に電気を供給可能である
請求項２に記載の美容ローラー。
【請求項４】
前記回転体の外側面に突出して取付けられており、かつ、ゲルマニウムを有するゲルマニウム含有部材を備える
請求項１、請求項２または請求項３に記載の美容ローラー。
【請求項５】
前記回転体の長手方向に対して略直交する方向の同回転体の断面形状が略六角形状である
請求項１、請求項２、請求項３または請求項４に記載の美容ローラー。
【請求項６】
内部と外部を連通する開口部が形成されており、かつ、該開口部が形成された領域とは別の領域に内部と外部を連通するスリットが形成されており、かつ、前記回転体の内部に収容可能であり、かつ、内部にマグネシウムが収容されているマグネシウム収容体を備える
請求項１、請求項２、請求項３、請求項４または請求項５に記載の美容ローラー。
【考案の詳細な説明】
【技術分野】
【０００１】
本考案は美容ローラーに関する。詳しくは、例えば顔の肌や手の肌の手入れに使用される美容ローラーに係るものである。
【背景技術】
【０００２】
紫外線量の増加、自動車の排気ガス量の増加、さらには気密性が高く冷暖房効果が高い室内の乾燥などの生活環境の変化により、肌（皮膚）の手入れに対する意識が高まっている。
【０００３】
すなわち、紫外線を長年にわたり浴び続けると、皮膚ガンなどの病気になるリスクが高まるという報告がある。
また、排気ガスに含まれる金属粒子や油粒子は、少しずつではあるが確実に肌に付着している。
【０００４】
さらに、肌に対する消費者の考え方も変化してきた。
すなわち、かつては角質や皮脂は単なる老廃物や邪魔者であり、これらを完全に洗い落とした方が病気などの予防になると思われていた。
しかし、角質層の反射によって紫外線の防御を行い、皮脂によって乾燥や細菌の繁殖を防いでいることが判り、このような肌本来が持つ抵抗力を高めようという考え方へ変化してきた。
【０００５】
また、肌を手入れする方法の中で、器具を用いて肌の手入れを行う方法がある。例えば、特許文献１には、図５に示すような美容ローラーが記載されている。
すなわち、特許文献１に記載の美容ローラー１０１は、皮膚に接触する面に、粒状体１０４を複数個有する断面が正多角形の棒状のローラー部１０２を備える。
また、美容ローラー１０１は、ローラー部１０２の一方の端部に装着され、ローラー部１０２を回動自在に支持する把持部１０３を備える。
【０００６】
また、粒状体１０４は、酸化チタンなどの強誘電体または強誘電体を含む材料の表面に、ｎ型半導体膜がコーティングされ、その上にさらにｐ型半導体膜がコーティングされたものである。
また、粒状体１０４の外周には、トルマリンなどのマイナスイオン発生材の粉末を混入したシリコン製のクッションリング１０５が装着されている。
【先行技術文献】
【特許文献】
【０００７】
【特許文献１】特開２０１２‐１２０６３３号公報
【考案の概要】
【考案が解決しようとする課題】
【０００８】
しかしながら、特許文献１に記載の美容ローラーは、簡単に肌の手入れを行うという点では不充分であった。
すなわち、乾燥している肌に美容ローラーを使用すると、ローラーの刺激により「シワ」や「たるみ」を引き起こす可能性があるので、美容液などの基礎化粧品を顔などに塗り、保湿してから美容ローラーを使用する。
【０００９】
このとき、基礎化粧品が手についてしまい、基礎化粧品を顔に塗った後、手がベタベタするため手についた基礎化粧品を拭き取るという動作が生じていた。そして、拭き取った後に美容ローラーを使用するという煩雑さの問題が生じていた。
しかし、特許文献１に記載の美容ローラーは、このような問題を解決できるものではなかった。
【００１０】
本考案は、以上の点に鑑みて創案されたものであり、簡単に肌の手入れを行うことができる美容ローラーを提供することを目的とする。
【課題を解決するための手段】
【００１１】
上記の目的を達成するために、本考案の美容ローラーは、長手方向を中心として回転可能であり、かつ、長手方向の一端に位置する面に内部と外部を連通する第１の開口部が形成されており、かつ、該第１の開口部が形成された面に対して略直交する面に内部と外部を連通する第２の開口部が形成されており、かつ、内部に液体を収容可能な回転体と、該回転体の前記第２の開口部に嵌合されており、複数の微細孔が形成された多孔質部材とを備える。
【００１２】
ここで、長手方向を中心として回転可能である回転体によって、回転体を肌に接触させながら美容ローラーを動かし、肌をマッサージできる。
【００１３】
また、長手方向の一端に位置する面に内部と外部を連通する第１の開口部が形成されており、かつ、内部に液体を収容可能な回転体によって、第１の開口部から回転体の内部に液体を投入して回転体の内部に液体を収容したり、第１の開口部から内部の液体を排出したりすることができる。
【００１４】
また、第１の開口部が形成された面に対して略直交する面に内部と外部を連通する第２の開口部が形成されており、かつ、内部に液体を収容可能な回転体と、回転体の第２の開口部に嵌合されており、複数の微細孔が形成された多孔質部材とによって、回転体の内部の液体を、多孔質部材を通して滲み出させることができる。
【００１５】
また、本考案の美容ローラーにおいて、回転体は導電性を有しており、本考案の美容ローラーは、回転体と電気的に接続されており、かつ、回転体に電気を供給可能な通電部を備えるものとすることができる。
【００１６】
この場合、回転体の内部の液体に通電して液体をイオン化できるので、液体を肌に浸透させやすくなる。
【００１７】
さらに、通電部を備える本考案の美容ローラーにおいて、通電部は、パルス状に電気を供給可能であるものとすることができる。
【００１８】
この場合、連続して電気を供給する場合に比べて、消費電力を抑えることができる。
【００１９】
また、本考案の美容ローラーは、回転体の外側面に突出して取付けられており、かつ、ゲルマニウムを有するゲルマニウム含有部材を備えるものとすることができる。
【００２０】
この場合、ツボ刺激効果が向上し、血流や血行を促進することができる。
【００２１】
また、本考案の美容ローラーにおいて、回転体の長手方向に対して略直交する方向の回転体の断面形状が略六角形状であるものとすることができる。
【００２２】
この場合、回転体を肌に接触させながらの回転の容易性を維持しつつ、回転体を肌に接触させながら回転させる度に、回転体の側面を肌に当てることができ、指で肌を軽く叩く行為である「タッピング」と同じマッサージを行うことができる。
【００２３】
また、本考案の美容ローラーは、内部と外部を連通する開口部が形成されており、かつ、開口部が形成された領域とは別の領域に内部と外部を連通するスリットが形成されており、かつ、回転体の内部に収容可能であり、かつ、内部にマグネシウムが収容されているマグネシウム収容体を備えるものとすることができる。
【００２４】
この場合、内部と外部を連通する開口部が形成されていることによって、開口部からマグネシウム収容体の内部にマグネシウムを投入してマグネシウムを収容したり、開口部から内部のマグネシウムを取出したりすることができる。
【００２５】
また、回転体の内部に収容可能であり、開口部が形成された領域とは別の領域に内部と外部を連通するスリットが形成されていることによって、回転体の内部に収容された液体の水分が、内部に収容されたマグネシウムにスリットを通って接触して反応し、水素を発生させることができる。
【考案の効果】
【００２６】
本考案に係る美容ローラーは、簡単に肌の手入れを行うことができる。
【図面の簡単な説明】
【００２７】
【図１】本考案を適用した美容ローラーの第１の実施形態を示す概略図である。
【図２】図１に示す本考案を適用した美容ローラーの回転体と、回転体から取外された親水性ポリウレタンスポンジフォームの一例を示す概略図である。
【図３】図１に示す本考案を適用した美容ローラーを使用したときの美容液の成分の浸透の様子を説明する概略図である。
【図４】本考案を適用した美容ローラーの第２の実施形態を示す概略図である。
【図５】従来の美容ローラーを示す概略図である。
【考案を実施するための形態】
【００２８】
以下、本考案の実施の形態について図面を参照しながら説明し、本考案の理解に供する。
【００２９】
＜第１の実施形態＞
図１は、本考案を適用した美容ローラーの第１の実施形態を示す概略図である。また、図２は、図１に示す本考案を適用した美容ローラーの回転体と、回転体から取外された親水性ポリウレタンスポンジフォームの一例を示す概略図である。
【００３０】
図１に示す本考案の第１の実施形態の美容ローラー１は、長手方向を中心として回転方向１０に回転可能な回転体２を備える。すなわち、回転体２は、長手方向を中心として、正方向と逆方向の２つの方向に回転可能である。
従って、使用者は回転体２を自分の肌に当てたまま回転体２を回転させて、回転体２の長手方向に対して略直交する方向に回転体２を往復運動させることができる。
【００３１】
また、回転体２はアルミニウムなどの導電性材料で構成されており、導電性を有する。
【００３２】
また、本考案の美容ローラー１は、回転体２と電気的に接続されており、かつ、回転体２にパルス状に電気を供給可能な通電部６を備える。
また、通電部６は、例えば電圧１．０〜２．０Ｖ、電流０．０１〜０．１Ａの電気を供給可能である。
また、パルス状の電気の周波数は、例えば２〜４Ｈｚである。
【００３３】
また、本考案の美容ローラー１は、通電部６の、回転体２に接続した側とは反対側に取付けられた把持部８を備える。
また、把持部８は電池カバーも兼ねており、把持部８の内部には電池が取付けられている。
【００３４】
また、通電部６と把持部８の間には、電池残量を確認するためのＬＥＤ発光部７が設けられている。
また、図示していないが、把持部８の、通電部６に取付けられた側とは反対側の端部に、電池残量を確認するためのボタンが設けられている。
【００３５】
また、図２に示すように、回転体２の長手方向に対して略直交する方向の回転体２の断面形状は略六角形状である。なお、図２において、回転体２の一部を切り欠いて図示している。
【００３６】
このような回転体２を例えば顔に当てながら回転方向１０に回転させると、回転体２の６つの側面が、回転する度に肌に当たり、タッピングと同じマッサージを行うことができる。
このようなマッサージによって、表情筋を動かし、口元や頬の肌が引き締まる。その結果、「シワ」や「たるみ」を改善することができる。
【００３７】
また、回転体２を肌に当てながら回転させると、体内の老廃物や毒素を流し出すリンパ液の流れがよくなり、代謝や循環が良くなったり、ほうれい線が消えたりするなどの効果も発揮することができる。
【００３８】
また、肌は血流が悪くなると、全体的に機能が衰えるので、美容成分を肌に充分に浸透させて肌そのものの働きを向上させるためには、血行を良くしておくことが大切である。
ここで、回転体２によるタッピングにより、血管や周りにある神経を適度に刺激して血管が広がり、血流を妨げる筋肉の固まりを防ぐことで血行を改善できる。
【００３９】
また、湯船に浸かっているときや風呂上がりなどの血行が良いときに、本考案の美容ローラー１の回転体２を肌に当てて回転させることで、より一層、美容成分を肌に浸透させることができる。
【００４０】
また、図２に示すように、回転体２の長手方向の一端に位置する面には、回転体２の内部と外部を連通する液体投入口２Ａが形成されている。
ここで、液体投入口は第１の開口部の一例である。
また、回転体２の長手方向の他端に位置する面は閉塞されている。
【００４１】
また、液体投入口２Ａの内側面にはネジ山が形成されており、外側面にネジ山が形成されたキャップ５を液体投入口２Ａに着脱できるようになっている。
キャップ５を液体投入口２Ａに装着することで、液体投入口２Ａを閉塞できる。
【００４２】
また、図２に示すように、液体投入口２Ａが形成された面に対して略直交する面すなわち回転体２の側面に、内部と外部を連通する液体滲出口２Ｂが形成されている。
また、液体滲出口２Ｂは、回転体２の長手方向と同じ方向に延びている。
ここで、液体滲出口は第２の開口部の一例である。
【００４３】
また、回転体２の内部には液体収容空間２Ｅが形成されており、回転体２は内部に液体を収容可能である。
【００４４】
また、回転体２の外側表面は、酸化チタン、マグネシウム、プラチナおよびセラミックの中の少なくとも１つで被覆されていてもよい。
【００４５】
ここで、回転体２の外側表面が酸化チタンで被覆されていれば、酸化チタンが有する光触媒効果により回転体２の外側表面の雑菌の繁殖を抑制することができる。
また、回転体２の外側表面がマグネシウムで被覆されていれば、肌の水分とマグネシウムが反応して水素を発生させ、肌に含まれる活性酸素などを中和して体外に排出する抗酸化作用を発揮することができる。
【００４６】
また、回転体２の外側表面がプラチナで被覆されていれば、老化の原因となる活性酸素を除去し、また、マイナスイオンを発生させ、毛穴の汚れを浮き上がらせることができる。
また、回転体２の外側表面がセラミックで被覆されていれば、遠赤外線を発するので肌を温め、血行を良くすることができる。
【００４７】
また、本考案の美容ローラー１は、回転体２の液体滲出口２Ｂを閉塞した状態で液体滲出口２Ｂに嵌合されたシート状の親水性ポリウレタンスポンジフォーム３を備える。
また、親水性ポリウレタンスポンジフォーム３には、複数の微細孔が形成されている。
【００４８】
ここで、親水性ポリウレタンスポンジフォームは多孔質部材の一例であり、複数の微細孔が形成された多孔質のものであれば、必ずしもポリウレタンで構成されたものに限定されないことは勿論である。
【００４９】
また、図２に示すように、液体滲出口２Ｂには段差が設けられている。
ここで、液体滲出口２Ｂの段差に、液体滲出口２Ｂの長手方向の長さと略同じ長さを有する支持体２Ｃが架設される。
【００５０】
また、支持体２Ｃの短手方向の長さは、液体滲出口２Ｂの短手方向の長さよりも短い。
また、支持体２Ｃの両端は傾斜している。すなわち、支持体２Ｃの、液体滲出口２Ｂの段差に接する側の長さよりも、段差に接する側とは反対側の長さの方が短い。
【００５１】
また、シート状の親水性ポリウレタンスポンジフォーム３の長手方向の長さは、液体滲出口２Ｂの長手方向の長さと略同じであり、シート状の親水性ポリウレタンスポンジフォーム３の短手方向の長さは、液体滲出口２Ｂの短手方向の長さと略同じである。
【００５２】
すなわち、親水性ポリウレタンスポンジフォーム３の一方の面の形状および面積は、液体滲出口２Ｂの形状および面積と略同じであるため、親水性ポリウレタンスポンジフォーム３は液体滲出口２Ｂを閉塞する。
【００５３】
また、嵌合用フレーム２Ｄの長手方向の長さは、液体滲出口２Ｂの長手方向の長さと略同じであり、嵌合用フレーム２Ｄの短手方向の長さは、液体滲出口２Ｂの短手方向の長さと略同じである。
また、嵌合用フレーム２Ｄの厚み、すなわち嵌合用フレーム２Ｄの長手方向および短手方向に対して略直交する方向の長さは、液体滲出口２Ｂが形成された回転体２の外側面から液体滲出口２Ｂの段差までの長さと略同じである。
【００５４】
また、嵌合用フレーム２Ｄには、一方の面と、この一方の面と対向する他方の面との間を貫通する穴が形成されている。
また、回転体２の外側面に対して略平行な液体滲出口２Ｂの段差の面の面積は、この液体滲出口２Ｂの段差の面に接触する嵌合用フレーム２Ｄの面の面積と略同じである。
【００５５】
次に、親水性ポリウレタンスポンジフォーム３を液体滲出口２Ｂに嵌合するときの手順を説明する。
支持体２Ｃを液体滲出口２Ｂの段差に架設した後、支持体２Ｃの上に親水性ポリウレタンスポンジフォーム３を置く。
そして、嵌合用フレーム２Ｄを液体滲出口２Ｂに嵌め込む。
【００５６】
このようにして親水性ポリウレタンスポンジフォーム３を液体滲出口２Ｂに嵌合することで、親水性ポリウレタンスポンジフォーム３の四辺縁部が嵌合用フレーム２Ｄによって液体滲出口２Ｂの段差に押し当てられる一方で、支持体２Ｃが親水性ポリウレタンスポンジフォーム３の略中央部を支持する。
【００５７】
従って、親水性ポリウレタンスポンジフォーム３は略中央部が隆起した山形状となり、嵌合用フレーム２Ｄの貫通穴から突出した状態となる。
また、嵌合用フレーム２Ｄによって液体滲出口２Ｂの段差に押し当てられた親水性ポリウレタンスポンジフォーム３の四辺縁部以外の箇所は、嵌合用フレーム２Ｄの貫通穴を通して露出している。
【００５８】
また、支持体２Ｃの短手方向の長さは、液体滲出口２Ｂの短手方向の長さよりも短いので、回転体２の内部に投入された液体は、支持体２Ｃに邪魔されることなく親水性ポリウレタンスポンジフォーム３に接触することができ、親水性ポリウレタンスポンジフォーム３から液体を滲み出させることができる。
【００５９】
ここで、多孔質部材を第２の開口部に嵌合できるのであれば、必ずしも支持体や嵌合用フレームを用いなくてもよい。
しかし、このように支持体を用いれば、多孔質部材である親水性ポリウレタンスポンジフォームの略中央部を隆起させて肌に接触させやすくなるので好ましい。
【００６０】
また、嵌合用フレームを用いて嵌合させれば、多孔質部材である親水性ポリウレタンスポンジフォームを着脱可能に、第２の開口部である液体滲出口に嵌合させることができ、親水性ポリウレタンスポンジフォームが劣化した場合は、新しい親水性ポリウレタンスポンジフォームと取替えることができるので好ましい。
【００６１】
また、本考案の美容ローラー１は、回転体２の外側面に突出して取付けられており、かつ、ゲルマニウムを有するドーム状のゲルマニウムチップ４を備える。
また、図１に示すように、複数個のゲルマニウムチップ４が回転体２の長手方向と同じ方向に取付けられている。
ここで、ゲルマニウムチップは、ゲルマニウム含有部材の一例である。
【００６２】
ゲルマニウムチップ４は、ゲルマニウムを含む鉱石から精製された純度９９．９９９パーセントのゲルマニウムインゴッドを粉砕して得られたゲルマニウムパウダーを成型したものである。
【００６３】
また、回転体の外側面に突出して取付けられており、ゲルマニウムを有するのであれば必ずしもゲルマニウムチップはドーム状でなくてもよく、例えば円盤状や円錐状であってもよい。
【００６４】
ここで、高純度のゲルマニウムは人体に接触し３２℃を超えるとマイナスの自由電子が外に飛び出し、プラスに偏りがちな生体電流の乱れを整えて電位バランスの正常化をもたらす。
その結果、血液や細胞の中を移動するマイナス電子が諸症状の改善緩和に働きかけると考えられている。
【００６５】
また、断面形状が略六角形状である回転体２は、液体滲出口２Ｂが形成された側面とゲルマニウムチップ４が取付けられた側面を交互に有している。
すなわち、断面形状が略六角形状である回転体２の６つの側面のうち、液体滲出口２Ｂが形成された側面が３つと、ゲルマニウムチップ４が取付けられた側面が３つである。
また、液体滲出口とゲルマニウムチップを同じ側面に設けることもできる。
【００６６】
ここで、回転体は、必ずしも液体滲出口が形成された側面とゲルマニウムチップが取付けられた側面を交互に有していなくてもよく、例えば液体滲出口が形成された側面が連続していたり、ゲルマニウムチップが取付けられた側面が連続していたりしてもよい。
【００６７】
また、回転体のすべての側面を、液体滲出口が形成された側面とすることもできる。
【００６８】
また、ゲルマニウムチップに加えてさらに、例えばセラミックパウダーを成型したものであるセラミックチップや、酸化チタンパウダーを成型したものである酸化チタンチップを、回転体の外側面に突出して取付けることもできる。
【００６９】
また、多孔質部材に、ゲルマニウム、チタンおよびプラチナの中の少なくとも１つを配合することもできる。
【００７０】
ここで、本考案の美容ローラーは、必ずしも通電部を備えていなくてもよい。
しかし、本考案の美容ローラーが通電部を備えていれば、回転体の内部の液体に通電して液体をイオン化できるので、液体を肌に浸透させやすくなり、好ましい。
【００７１】
また、必ずしも通電部はパルス状に電気を供給可能でなくてもよい。
しかし、通電部がパルス状に電気を供給可能であれば、連続して電気を供給する場合に比べて、消費電力を抑えることができるので好ましい。
【００７２】
また、本考案の美容ローラーは、必ずしもゲルマニウム含有部材を備えていなくてもよい。
しかし、本考案の美容ローラーがゲルマニウム含有部材を備えていれば、ツボ刺激効果が向上し、血流や血行を促進することができるので好ましい。
【００７３】
また、回転体の断面形状は、必ずしも略六角形状でなくてもよい。
しかし、回転体の断面形状が略六角形状であれば、回転体を肌に接触させながらの回転の容易性を維持しつつ、回転体を肌に接触させながら回転させる度に、回転体の側面を肌に当てることができ、指で肌を軽く叩く行為である「タッピング」と同じマッサージを行うことができるので好ましい。
【００７４】
次に、本考案の美容ローラー１を使用した肌の手入れの一例を説明する。また、図３は、図１に示す本考案を適用した美容ローラーを使用したときの美容液の成分の浸透の様子を説明する概略図である。
【００７５】
液体投入口２Ａに装着されたキャップ５を外し、液体投入口２Ａから１６ｍＬの美容液を回転体２の内部へ投入する。
そして、回転体２の内部へ美容液を充填し終わった後、キャップ５を液体投入口２Ａに装着して液体投入口２Ａを閉じる。
【００７６】
次に、本考案の美容ローラー１の通電部６を手で握る。
そして、図３に示すように、本考案の美容ローラー１の回転体２を、使用者自身の肌すなわち角質層９に接触させる。
【００７７】
すると、使用者の身体と本考案の美容ローラー１との間で回路が形成され、美容液に通電して美容液がマイナスイオンにイオン化される。すなわち美容成分がマイナスイオンに帯電される。
そして、マイナスイオンにイオン化された美容液が親水性ポリウレタンスポンジフォーム３を通して液体滲出口２Ｂから滲み出て、使用者の肌に塗布される。
【００７８】
このとき、微弱な電流すなわち０．０１Ａのマイナスイオンの電流を角質層９に流している。
また、このときの電圧は交流１．５Ｖであり、イオン最大発生値は約１．１×１０１５個／秒である。
【００７９】
また、図３に示すように角質層９はプラスイオンが多い層である。
従って、マイナスイオンに帯電した美容成分がプラスイオンに帯電した角質層９に引き寄せられ、肌の真皮層にまで浸透する。
【００８０】
さらに、角質層９と、図示していないが角質層９の奥側に位置する顆粒層との間には微弱な電気が流れており、これが電気の膜を形成して美容成分の浸透を阻むバリアとなっているが、本考案の美容ローラー１が流す微弱な電流が、この電気の膜を弱める。
【００８１】
また、マイナスイオンに帯電した美容成分に、同じマイナスイオンの電流を当てて電気の反発し合う原理も利用している。こうすることで、美容成分を押し込むようにして肌の真皮層にまで浸透させることができる。
【００８２】
また、電気を流さずに本考案の美容ローラー１を使用する場合は、通電部６に指が触れないように把持部８を握る。
この場合でも、液体滲出口２Ｂから美容液を滲み出させて肌に美容液を塗布しながら、ゲルマニウムチップ４と回転体２のタッピングとによる肌のマッサージを行うことができる。
【００８３】
このとき、回転体２のタッピングによる肌のマッサージによって肌の血行が良くなり、美容液の浸透率を高めることができる。
【００８４】
また、回転体２の内部に充填する液体は必ずしも美容液でなくてもよく、電気を通しやすい化粧水を用いることもできる。
【００８５】
＜第２の実施形態＞
図４は、本考案を適用した美容ローラーの第２の実施形態を示す概略図である。
図４に示す本考案の第２の実施形態の美容ローラー２１が、回転体２の内部に収容されるスリーブ２２を備える点で、本考案の第２の実施形態の美容ローラー２１は図１に示す本考案の第１の実施形態の美容ローラー１と相違する。
【００８６】
ここで、スリーブ２２は長手方向を有し、長手方向に対して略直交する方向のスリーブ２２の断面形状は略円形状である。
また、スリーブ２２の長手方向の一端に位置する面には、スリーブ２２の内部と外部を連通するマグネシウム顆粒投入口２２Ａが形成されている。
【００８７】
また、スリーブ２２の長手方向の他端に位置する面は閉塞されている。また、スリーブはマグネシウム収容体の一例である。
また、マグネシウム顆粒投入口２２Ａが形成された領域とは別のスリーブ２２の領域に、内部と外部を連通する複数のスリット２２Ｂが形成されている。
【００８８】
ここで、スリット２２Ｂは、スリーブ２２の周方向に形成されている。また、スリット２２Ｂは、スリーブ２２の長手方向に対して略直交する面において、互いに対向して２箇所に形成されている。
また、図４に示すように、スリット２２Ｂはスリーブ２２の長手方向に並列に形成されている。
【００８９】
また、スリーブ２２の大きさは、回転体２の内部に収容できる大きさである。
ここで、スリーブ２２は、回転体２の液体投入口２Ａを通して回転体２の内部に収容できる構成となっている。
【００９０】
また、スリーブ２２の内部には、例えば直径１〜１．５ｍｍの複数のマグネシウム顆粒２４が収容される。
また、スリット幅Ｗは、マグネシウム顆粒２４の直径よりも小さい。従って、マグネシウム顆粒２４はスリット２２Ｂを通って外部へ抜け落ちることはない。
【００９１】
また、スリーブ２２のマグネシウム顆粒投入口２２Ａには、蓋２３が着脱可能に取付けられる。蓋２３をマグネシウム顆粒投入口２２Ａに装着することで、マグネシウム顆粒投入口２２Ａを閉塞できる。
【００９２】
次に、マグネシウム顆粒２４が収容されたスリーブ２２を回転体２に収容する方法を説明する。
蓋２３を取外して、マグネシウム顆粒投入口２２Ａからマグネシウム顆粒２４をスリーブ２２の内部に投入する。
【００９３】
そして、蓋２３をマグネシウム顆粒投入口２２Ａに装着し、マグネシウム顆粒２４が収容されたスリーブ２２を得る。
次に、このスリーブ２２を、回転体２の液体投入口２Ａから回転体２の内部に挿入し、キャップ５を液体投入口２Ａに装着する。
【００９４】
ここで、美容液もしくは化粧水は、スリーブ２２を回転体２の内部に挿入する前に回転体２の内部に投入してもよいし、また、挿入した後に投入してもよい。
【００９５】
また、マグネシウム顆粒２４を収容したスリーブ２２を、回転体２の内部に収容する場合、回転体２の外側表面はマグネシウムで被覆される必要はない。
なぜなら、回転体２の内部に収容された、美容液もしくは化粧水に含まれる水分が、スリーブ２２のスリット２２Ｂを通ってマグネシウム顆粒２４と接触して反応し、水素を発生させることができるからである。
【００９６】
また、回転体２の外側表面がマグネシウムで被覆されていないことによって、回転体２を肌に当てている最中や肌に当てた後に、酸化被膜等による黒色変色や斑状のシミなどの事象が発生するおそれがない。
【００９７】
すなわち、マグネシウム顆粒２４を収容したスリーブ２２を回転体２の内部に収容することによって、回転体２の外側表面の酸化被膜等による黒色変色や斑状のシミなどの事象発生の心配をすることなく、水素を発生させ、肌に含まれる活性酸素などを中和して体外に排出する抗酸化作用を発揮することができる。
【００９８】
また、回転体の外側表面がマグネシウムで被覆されている場合、長時間の使用で水素の発生量が低下してくると美容ローラー自体を取替える必要があるが、マグネシウム収容体を用いていれば、新しいマグネシウム収容体に取替えるだけでよいので、費用を抑えることができる。
【００９９】
また、マグネシウム収容体は必ずしも長手方向を有し、長手方向に対して略直交する方向のマグネシウム収容体の断面形状が略円形状でなくてもよいが、このような形状であれば回転体に入れたり回転体から出したりしやすいので好ましい。
【０１００】
以上のように、本考案の美容ローラーは、長手方向を中心として回転可能である回転体を備えるので、回転体を肌に接触させながら美容ローラーを動かし、肌をマッサージできる。
また、この回転体は、長手方向の一端に位置する面に内部と外部を連通する第１の開口部が形成されており、かつ、内部に液体を収容可能であるので、第１の開口部から回転体の内部に液体を投入して回転体の内部に液体を収容したり、第１の開口部から内部の液体を排出したりすることができる。
【０１０１】
さらに、この回転体は、第１の開口部が形成された面に対して略直交する面に内部と外部を連通する第２の開口部が形成されており、また、本考案の美容ローラーは、回転体の第２の開口部に嵌合されており、複数の微細孔が形成された多孔質部材を備えるので、回転体の内部の液体を、多孔質部材を通して滲み出させることができる。
【０１０２】
従って、美容液などの基礎化粧品を回転体の内部に充填するだけで、基礎化粧品が手につくおそれもなく、多孔質部材を通して基礎化粧品を滲み出させることができ、また、回転体による肌のマッサージで肌の血行が良くなり、基礎化粧品を浸透させやすくなるので、本考案の美容ローラーは、簡単に肌の手入れを行うことができる。
【０１０３】
また、回転体の内部に美容液を充填せずに、美容液を浸透させたカバーを回転体に被せることも考えられるが、その場合でもカバーを被せるときにカバーを手で触るため、手に美容液がついてしまい、結局は手がベタベタするので拭き取るという動作が生じてしまう。
【０１０４】
また、カバーを回転体に被せただけでは、使用時にカバーがずれてしまい、肌に美容液を充分に塗布できない可能性があるが、本考案の美容ローラーのように、第２の開口部に嵌合された多孔質部材を通して回転体の内部の液体すなわち美容液を、多孔質部材を通して滲み出させるのであれば、多孔質部材は第２の開口部に嵌合されており、ずれてしまうという問題は生じない。
【符号の説明】
【０１０５】
１    美容ローラー
２    回転体
２Ａ  液体投入口
２Ｂ  液体滲出口
２Ｃ  支持体
２Ｄ  嵌合用フレーム
２Ｅ  液体収容空間
３    親水性ポリウレタンスポンジフォーム
４    ゲルマニウムチップ
５    キャップ
６    通電部
７    ＬＥＤ発光部
８    把持部
９    角質層
１０    回転方向
２１    美容ローラー
２２    スリーブ
２２Ａ  マグネシウム顆粒投入口
２２Ｂ  スリット
２３    蓋
２４    マグネシウム顆粒
Ｗ    スリット幅
【図１】
0003202873.tif 000003
【図２】
0003202873.tif 000004
【図３】
0003202873.tif 000005
【図４】
0003202873.tif 000006
【図５】
0003202873.tif 000007